(57)【特許請求の範囲】
【請求項１】
タッチパネルと、
前記タッチパネルの周囲に配置された天板と、
少なくとも、前記タッチパネルと前記天板とが互いに接合する領域に配置された防滴手段と
を有し、
前記タッチパネル及び前記天板が略水平な天面を構成しており、
前記タッチパネルの長手方向中央部を下方から支持する支持部材
をさらに有し、
前記支持部材により前記タッチパネルの周縁部上面が、前記天板の上面より０ｍｍ〜３ｍｍ高くなるように支持され、
前記防滴手段は防水パッキンであり、
前記防水パッキンは、パッキン抑え板により、下方からパッキンを押し上げられている
情報処理装置。
【請求項２】
前記天板は、開口が設けられた板金で構成され、
前記開口に配置された無線モジュールと、
前記無線モジュール及び前記天板を覆う樹脂カバーと
をさらに有する請求項１に記載の情報処理装置。
【請求項３】
前記タッチパネルの下面に貼り付けられたガラス飛び散り防止シート
をさらに有する請求項１に記載の情報処理装置。
【請求項４】
前記タッチパネルの下方に設置され、画像を表示する表示パネルと、
前記タッチパネルと前記表示パネルとの間に配置された強度アップ用透明板と
をさらに有する請求項３に記載の情報処理装置。
【請求項５】
前記タッチパネルの下方に配置され、画像を表示する表示パネルと、
前記タッチパネルと前記表示パネルとの間に設けられた空間に、流体を循環させる循環手段と
をさらに有する請求項１に記載の情報処理装置。
【請求項６】
前記天面よりも水平投影面積が小さい筐体と、
前記筐体に収容される情報処理ユニットと
をさらに有し、
前記天板及び前記タッチパネルは、前記筐体の上部を覆うように配置されている
請求項１に記載の情報処理装置。
【請求項７】
前記筐体の底面は略水平である
請求項６に記載の情報処理装置。
【請求項８】
前記筐体の内部に設けられ、ヒンジの一部を構成する第１のヒンジ部品と、
前記天板の下面に設けられ、前記ヒンジの他部を構成する第２のヒンジ部品と
をさらに有する請求項６に記載の情報処理装置。
【請求項９】
画像を表示する表示パネルと、
少なくとも前記天面の長辺近傍にいる人を検知するセンサと、
前記センサによる検知結果に基づいて、前記天面の近傍にいる人の位置に対応した画面表示方向及び画面分割数で、画面を前記表示パネルに表示させる画面制御手段と
をさらに有する請求項１に記載の情報処理装置。
【請求項１０】
前記天面の少なくとも一部を振動させる振動スピーカと、
前記天面に対する加重を検知する加重検知手段と、
前記加重検知手段により検知された加重が既定の上限を超える場合に、警告を発すよう前記振動スピーカに制御する警告手段と
をさらに有する請求項１に記載の情報処理装置。
【請求項１１】
前記天面の角度を調整する角度調整機構と、
前記角度調整機構による角度調整をロックするロック手段と
をさらに有する請求項１に記載の情報処理装置。
【請求項１２】
前記ロック手段によるロックが解除されている場合に、警告を発する警告手段
をさらに有する請求項１１に記載の情報処理装置。
【請求項１３】
前記筐体を下方から支持する支持脚と、
前記支持脚の下方に設けられ、錘を着脱自在に保持する錘保持手段と
をさらに有する請求項６に記載の情報処理装置。
【発明の詳細な説明】
【技術分野】
【０００１】
本発明は、情報処理装置に関する。
【背景技術】
【０００２】
例えば、特許文献１には、フラットパネルディスプレイの下にパソコン又はワープロの本体を接続し、これを事務机の天板に設けた穴に挿入し、フラットパネルディスプレイの表面が天板の表面と一致するように固定し、パソコン又はワープロ用のシートキーボードを天板の上に高さをそろえて実装した特殊機能付電子机が開示されている。
また、特許文献２には、第１の取り付け下方開放位置と第２の直立机上位置とにおいて適宜に向き付けられた画像を表示する回動画像に依存する向きを有するディスプレイが開示されている。
また、特許文献３には、柔軟性のある熱伝導部材を、携帯型情報処理装置の本体部から表示部にかけて配置した携帯型情報処理装置が開示されている。
【先行技術文献】
【特許文献】
【０００３】
【特許文献１】実開平５−０５１１２５号公報
【特許文献２】特表２００１−５００７０９号公報
【特許文献３】特開２０００−０１０６６１号公報
【発明の概要】
【発明が解決しようとする課題】
【０００４】
テーブルとしても利用できる情報処理装置を提供することを目的とする。
【課題を解決するための手段】
【０００５】
本発明に係る情報処理装置は、タッチパネルと、前記タッチパネルの周囲に配置された天板と、少なくとも、前記タッチパネルと前記天板とが互いに接合する領域に配置された防滴手段とを有し、前記タッチパネル及び前記天板が略水平な天面を構成している。
【０００６】
好適には、前記天板は、開口が設けられた板金で構成され、前記開口に配置された無線モジュールと、前記無線モジュール及び前記天板を覆う樹脂カバーとをさらに有する。
【０００７】
好適には、前記タッチパネルの上面は、前記天板の上面よりも０ｍｍ以上３ｍｍ以下の範囲で高くなるように支持されている。
【０００８】
好適には、前記タッチパネルの長手方向中央部を下方から支持する支持部材をさらに有し、前記タッチパネルの周縁部上面が、前記天板の上面より０ｍｍ〜３ｍｍ高くなるように支持されている。
【０００９】
好適には、前記タッチパネルの下面に貼り付けられたガラス飛び散り防止シートをさらに有する。
【００１０】
好適には、前記タッチパネルの下方に設置され、画像を表示する表示パネルと、前記タッチパネルと前記表示パネルとの間に配置された強度アップ用透明板とをさらに有する。
【００１１】
好適には、前記タッチパネルの下方に配置され、画像を表示する表示パネルと、前記タッチパネルと前記表示パネルとの間に設けられた空間に、流体を循環させる循環手段とをさらに有する。
【００１２】
好適には、前記天面よりも水平投影面積が小さい筐体と、前記筐体に収容される情報処理ユニットとをさらに有し、前記天板及び前記タッチパネルは、前記筐体の上部を覆うように配置されている。
【００１３】
好適には、前記筐体の底面は略水平である。
【００１４】
好適には、前記筐体の内部に設けられ、ヒンジの一部を構成する第１のヒンジ部品と、前記天板の下面に設けられ、前記ヒンジの他部を構成する第２のヒンジ部品とをさらに有する。
【００１５】
好適には、画像を表示する表示パネルと、少なくとも前記天面の長辺近傍にいる人を検知するセンサと、前記センサによる検知結果に基づいて、前記天面の近傍にいる人の位置に対応した画面表示方向及び画面分割数で、画面を前記表示パネルに表示させる画面制御手段とをさらに有する。
【００１６】
好適には、前記天面の少なくとも一部を振動させる振動スピーカと、前記天面に対する加重を検知する加重検知手段と、前記加重検知手段により検知された加重が既定の上限を超える場合に、警告を発すよう前記振動スピーカに制御する警告手段とをさらに有する。
【００１７】
好適には、前記天面の角度を調整する角度調整機構と、前記角度調整機構による角度調整をロックするロック手段とをさらに有する。
【００１８】
好適には、前記ロック手段によるロックが解除されている場合に、警告を発する警告手段をさらに有する。
【００１９】
好適には、前記筐体を下方から支持する支持脚と、前記支持脚の下方に設けられ、錘を着脱自在に保持する錘保持手段とをさらに有する。
【００２０】
また、本発明に係る警告方法は、少なくともタッチパネルを含んで略水平な天面が構成された情報処理装置において、前記天面に対する加重を検知するステップと、検知された加重が既定の基準値以上である場合に、警告を発するステップとを有する。
【００２１】
また、本発明に係るプログラムは、少なくともタッチパネルを含んで略水平な天面が構成された情報処理装置において、前記天面に対する加重を検知するステップと、検知された加重が既定の基準値以上である場合に、警告を発するステップとを前記情報処理装置に実行させる。
【発明の効果】
【００２２】
本発明によれば、テーブルとしても利用できる情報処理装置を提供できる。
【図面の簡単な説明】
【００２３】
【図１】情報処理装置１の外観を例示する図である。
【図２】情報処理装置１のAA断面図である。
【図３】情報処理装置１の周縁部近傍（AA断面）を詳細に説明する図である。
【図４】情報処理装置１のAA断面図である。
【図５】情報処理装置１のBB断面図である。
【図６】タッチパネル１０と天板２０との接合領域近傍（AA断面）を詳細に説明する図である。
【図７】タッチパネル１０の位置調整機構を説明する図である。
【図８】タッチパネル１０の固定方法をより詳細に説明する図である。
【図９】上部ユニットを開いた状態（オープン時）の情報処理装置１の斜視図である。
【図１０】ヒンジ機構（回転支点２２０及び支持板３２０）を詳細に説明する図である。
【図１１】クローズ時の回転支点２２０及び支持板３２０の位置を示す図である。
【図１２】オープン時の回転支点２２０及び支持板３２０の位置を示す図である。
【図１３】非接触ICユニット４０の取付位置を説明する図である。
【図１４】非接触ICユニット４０の近傍をより詳細に説明する図である。
【図１５】タッチパネル１０を詳細に説明する図である。
【図１６】タッチパネル１０の放熱機構を説明する図である。
【図１７】情報処理装置１に設けられる人感センサ２３０及び加重センサ２３２を例示する図である。
【図１８】情報処理ユニット５の機能構成を例示する図である。
【図１９】タッチパネル１０の表示画面を例示する図である。
【図２０】情報処理装置１の変形例を例示する図である。
【図２１】錘保持機構が設けられた情報処理装置１を例示する図である。
【図２２】情報処理装置の比較例を説明する図である。
【発明を実施するための形態】
【００２４】
以下、本発明の実施形態を、図面を参照して説明する。
まず、情報処理装置１の外観及び構成を概説する。
図１は、情報処理装置１の外観を例示する図であり、図１（A）は、情報処理装置１の斜視図であり、図１（B）は、情報処理装置１を上方から見た図であり、図１（C）は、情報処理装置１の長辺側の側面図である。
図２は、情報処理装置１のAA断面図であり、図３は、情報処理装置１の周縁部近傍（AA断面）を詳細に説明する図である。
図１に例示するように、本実施形態の情報処理装置１は、タッチパネル１０及び天板２０からなる天面と、筐体３０とを有する。
タッチパネル１０は、例えば、静電容量方式のタッチパネルであり、表示領域及び操作領域がA３サイズ以上であることが望ましい。ここで、タッチパネルとは、タッチ操作を検知する位置検知手段と、画像を表示する表示手段とが組み合わされた入出力ユニットである。
【００２５】
天板２０は、タッチパネル１０の周囲を囲む板であり、例えば、タッチパネル１０の上面よりも摩擦係数の大きな上面を有する。タッチパネル１０の周囲で摩擦係数を大きくすることにより、天面に置いた物が滑り落ちることを抑制する。
タッチパネル１０及び天板２０の上面は、略水平な天面を構成する。より具体的には、タッチパネル１０の上面が、天板２０の上面よりも０〜３ｍｍ程度高くなるように位置決めされており、ほぼ段差が無い状態となる。特に、タッチパネル１０と天板２０との接合領域において、タッチパネル１０の上面が、天板２０の上面よりも０〜３ｍｍ程度高くなることが望ましい。
【００２６】
筐体３０は、CPUやメモリなどからなる情報処理ユニット５を収容する金属製の筐体である。鉛直上方から見たときの筐体３０の投影面積（水平投影面積）が、タッチパネル１０及び天板２０からなる天面よりも小さい。すなわち、タッチパネル１０及び天板２０からなる天面が、筐体３０の上面を完全に覆い隠すようになっている。これにより、天面に対する防滴対策を施せば、情報処理装置１全体の上方からの防滴対策が施されたことになる。
筐体３０の底面は略水平であり、既存のテーブルの上に情報処理装置１を載せて利用することができる。この場合、筐体３０内の情報処理ユニット５から発生する熱は、筐体３０の底面を介して外部に放熱される。
【００２７】
また、図２に例示するように、情報処理装置１の上部ユニットは、タッチパネル１０及び天板２０を有し、情報処理装置１の下部ユニットは、情報処理ユニット（不図示）及び筐体３０を有する。このように、情報処理装置１は、保守又はユニット交換のために、上部ユニットと下部ユニットとで分割可能に構成されている。特に、タッチパネル１０が大きいことに加えて、テーブルとしても利用されることから、上部ユニットの修理又は交換が容易であることが望ましい。
【００２８】
また、図３に例示するように、天板２０の周縁部が筐体３０から水平方向に突出しているため、情報処理装置１を持ち上げるときの把持部となる。また、天板２０と筐体３０とが接合する位置よりも内側に、筐体３０から上方に突出した壁が設けられている。この壁が、折り返し壁となって、天板２０の周縁部をつたってくる水滴の筐体内部への侵入を防止する。
【００２９】
次に、情報処理装置１の防滴機構及び位置調整機構について説明する。
図４は、情報処理装置１のAA断面図であり、図５は、情報処理装置１のBB断面図である。
図６は、タッチパネル１０と天板２０との接合領域近傍（AA断面）を詳細に説明する図である。
図７は、タッチパネル１０の位置調整機構を説明する図であり、図８は、タッチパネル１０の固定方法をより詳細に説明する図である。
図４に例示するように、タッチパネル１０は、タッチパネルガラス１００と、その下方に配置されたLCDモジュール１０２と、LCD保持板１１０とを有する。
また、筐体３０の長手方向中央部分に、タッチパネル１０を下方から支持する中央支持脚３００が設けられている。中央支持脚３００は、本発明に係る支持部材の一例である。中央支持脚３００によって、大型のタッチパネル１０の中央部を下方から持ち上げることにより、タッチパネル１０が自重で撓み、その中央部が下方に落ち込むことを防止する。
【００３０】
図５及び図６に示すように、LCD保持板１１０は、タッチパネル１０を天板２０に固定するための部材であり、天板２０の下面に固定されている。LCD保持板１１０には、図８に例示するように、長円穴１１４が設けられており、タッチパネル１０の位置決めを行った後で、LCD固定ネジ１１２を長円穴１１４に締める。このLCD固定ネジ１１２と長円穴１１４とによって、タッチパネル１０の位置の微調整が可能になる。タッチパネルガラス１００及びLCDモジュール１０２が大型であり、これらの歪みや個体差が無視できない場合に特に好適である。
【００３１】
また、図６に例示するように、タッチパネル１０と天板２０とが互いに接合する領域に、防水パッキン２１０が設けられている。防水パッキン２１０は、本発明に係る防滴手段の一例である。より具体的には、タッチパネルガラス１００と天板２０の上面板（後述する樹脂板）とが、数ｍｍ以下だけ離間して隣接し、この領域の下方に防水パッキン２１０が配置され、この防水パッキン２１０をパッキン抑え板２１２が下方から押し上げている。防水パッキン２１０の大きさは、タッチパネルガラス１００が熱によって伸縮してもカバーできるように設計されている。
【００３２】
次に、情報処理装置１の上部ユニットを開閉するためのヒンジ機構を説明する。
図９は、上部ユニットを開いた状態（オープン時）の情報処理装置１の斜視図である。
図１０は、ヒンジ機構（回転支点２２０及び支持板３２０）を詳細に説明する図である。
図１１は、クローズ時の回転支点２２０及び支持板３２０の位置を示す。
図１２は、オープン時の回転支点２２０及び支持板３２０の位置を示す。
図９に示すように、上部ユニットは、筐体３０の内部に設けられたヒンジ機構を軸として、下部ユニットに対して回動する。ヒンジ機構（後述する回転支点２２０及び支持板３２０）を筐体３０及び天板２０の内側に設けることにより、クローズ時にヒンジ機構が外部に露出することなく、外観に優れる。具体的には、図１０に例示するように、回転支点２２０は、第２のヒンジ部品の一例であり、天板２０の下面に固定され、天板２０から下方に突出した位置に、回転軸を有する。また、支持板３２０は、第１のヒンジ部品の一例であり、筐体３０の内壁面近傍に設けられたレール上をスライド自在に固定されている。
また、上部ユニットの回動範囲を制限するための連結部材３２２が設けられている。連結部材３２２の一方の端部は、筐体３０（下部ユニット）の内部に設けられた回転軸に固定されており、連結部材３２２の他方の端部は、天板２０（上部ユニット）に設けられたレール上をスライド自在に固定されている。
【００３３】
図１１に例示するように、クローズ時には、回転支点２２０と支持板３２０とが隣り合った位置で係合せずに存在する。
上部ユニットをオープンするときには、まず上部ユニット（天板２０）のヒンジ機構が設けられた側の端部を少しだけ持ち上げて、図１２（A）に例示するように、支持板３２０を、回転支点２２０と係合する位置までスライドさせ、その後、持ち上げた端部を下すと、支持板３２０と回転支点２２０とが図１２（B）に例示するように係合する。最後に、上部ユニット（天板２０）の反対側の端部を持ち上げると、回転支点２２０及び支持板３２０の係合位置を軸として、上部ユニットを開けることができる。
【００３４】
次に、情報処理装置１の天板２０に設けられた非接触ICユニット４０を説明する。
図１３は、非接触ICユニット４０の取付位置を説明する図である。
図１４は、非接触ICユニット４０の近傍をより詳細に説明する図である。
図１４に例示するように、天板２０は、最上面を構成する樹脂板２０４と、その下に重ねられた板金部品２００とで構成されている。樹脂板２０４は、本発明に係る樹脂カバーの一例である。板金部品２００には、図１３（A）に例示するように、非接触ICユニット４０を取り付けるための穴２０２（開口）が設けられている。すなわち、板金部品２００は、本発明に係る板金の一例であり、非接触ICユニット４０は、本発明に係る無線モジュールの一例である。図１３（B）及び図１４に例示するように、この板金部品２００の穴の位置に、非接触ICユニット４０のアンテナ４００が配置され、アンテナ４００の上部が、樹脂板２０６に覆われている。ICユニット固定板金４０２は、非接触ICユニット４０と、樹脂板２０６とを固定する。
【００３５】
次に、タッチパネル１０の詳細を説明する。
図１５は、タッチパネル１０を詳細に説明する図である。
図１５に例示するように、タッチパネル１０は、タッチパネルガラス１００と、LCDモジュール１０２とを有する。LCDモジュール１０２の最上面には、液晶表示パネルが設けられている。LCDモジュール１０２の液晶表示パネル（表示パネルの一例）は、タッチパネルガラス１００に対して、略平行に、スペーサ１０４によって既定の距離だけ離間して配置される。スペーサ１０４によって開けられた空間には、タッチパネル１０の強度をアップさせるための強度アップガラス１０８が挿入される。強度アップガラス１０８は、強度アップ用透明板の一例であり、強化ガラス、又は、透明な硬質樹脂などである。強度アップガラス１０８の挿入により、ニュートンリングの抑制も期待できる。
また、タッチパネルガラス１００の下面（すなわち、操作者がタッチする面の裏面）に、ガラス飛び散り防止シート１０６が貼り付けられる。タッチ面の裏面にガラス飛び散り防止シート１０６を貼り付けることにより、タッチ操作の検出感度を落とさずに、タッチパネルガラス１００が割れた場合のガラスの飛び散りを防止できる。
【００３６】
図１６は、タッチパネル１０の放熱機構を説明する図である。
本例のタッチパネル１０では、タッチパネルガラス１００とLCDモジュール１０２との間で熱がたまりやすい。
そこで、図１６に例示するように、タッチパネルガラス１００とLCDモジュール１０２との間の空間に水又は空気を強制的に循環させる循環器１３０と、循環してきた水又は空気を冷却する冷却器１３２とが設けられている。循環器１３０は、本発明に係る循環手段の一例であり、例えば、送風用のファンである。水又は空気の流路は、閉空間であり、埃の侵入が防止される。パッチパネルガラス１００とLCDモジュール１０２との間の空間は、例えば、強度アップガラス１０８の内部に形成してもよいし、強度アップガラス１０８が存在しない領域を設けることにより確保してもよい。
【００３７】
図１７（A）は、情報処理装置１に設けられる人感センサ２３０を例示し、図１７（B）は、情報処理装置１に設けられる加重センサ２３２を例示する図である。
図１７（A）に例示するように、情報処理装置１には、タッチパネル１０の近傍に存在する人（又は物）を検知するための人感センサ２３０が、少なくとも天板２０の長辺に設けられている。より好ましくは、天板２０の四辺それぞれに、人感センサ２３０が設けられる。
また、図１７（B）に例示するように、タッチパネル１０に対する加重を検知するための加重センサ２３２が情報処理装置１に設けられている。
その他、上部ユニットと下部ユニットとの開閉ロック機構に対するロックセンサ２３４などが設けられている。
【００３８】
図１８は、情報処理ユニット５の機能構成を例示する図である。
図１８に例示するように、情報処理ユニット５は、筐体３０の内部に設けられており、CPU５００、記憶ユニット５１０、電源５３０、外部I／F５４０、及びLAN５５０を有する。
CPU５００は、中央演算装置である。
記憶ユニット５１０は、例えば、メモリ及びハードディスクであり、コンピュータプログラムなどが格納されている。本例の記憶ユニット５１０には、画面制御部５１２、加重警告部５１４及びロック警告部５１６が含まれたプログラムが格納されている。
電源５３０は、情報処理ユニット５の各構成に電力を供給する。外部I／F５４０は、外部インタフェースである。LAN５５０は、有線のLANポートであるが、無線LANのモジュールを備えてもよい。
【００３９】
本例の情報処理装置１は、上述したタッチパネル１０、人感センサ２３０、加重センサ２３２、ロックセンサ２３４、及び非接触ICユニット４０に加え、振動スピーカ６０を有している。振動スピーカ６０は、例えば、天板２０を振動させることにより、音を出力する。
情報処理ユニット５は、タッチパネル１０、人感センサ２３０、加重センサ２３２、ロックセンサ２３４又は非接触ICユニット４０から入力された情報に基づいて情報処理を行い、その結果をタッチパネル１０又は振動スピーカに出力する。
【００４０】
より具体的には、画面制御部５１２は、人感センサ２３０からの入力に基づいて、タッチパネル１０の近傍にいる人の位置及び人数を判定し、人の位置及び人数に応じた画面をタッチパネル１０に表示させる。例えば、画面制御部５１２は、図１９（A）に例示するように、人数に応じて、タッチパネル１０に表示させる画面を分割し、分割された画面それぞれに、人の位置に応じた画像を表示させる。
また、画面制御部５１２は、図１９（B）に例示するように、人数に応じて、メインウインドウ上に、サブウインドウを表示させてもよい。この場合、メインウインドウは全画面表示となっており、サブウインドウは、メインウインドウに重なった移動可能なウインドウである。
【００４１】
以上説明したように、本実施形態の情報処理装置１によれば、タッチパネル１０及び天板２０が略水平でほとんど段差の無い天面を構成するため、テーブルとして利用しやすい。また、タッチパネル１０と天板２０との接合領域に防水対策を施し、かつ、天面が下部の筐体３０よりも大きくなっているため、情報処理装置１全体の防滴が実現される。また、タッチパネル１０が含まれる上部ユニットと、情報処理ユニット５が含まれる下部ユニットとを分割可能にし、ヒンジによる開閉機構を設けられているため、部品の修理や交換が容易である。タッチパネル１０が水平に設置されるため、タッチパネルガラスへの落下物に対する対策が必要であるが、タッチパネルガラスとLCD表示パネルとの間の空間に、強度アップガラス１０８及びガラス飛び散り防止シート１０６を設けることにより、タッチパネル１０の感度を落とすことなく、落下物対策が実現できる。また、タッチパネル１０に異常加重がかかった場合には、振動スピーカによって警告を発する。
【００４２】
図２２は、比較例のテーブル型情報処理装置を例示する図である。
図２２に示す比較例１のように、拡散シートが貼り付けられたガラス面に、プロジェクタで画像を投影しつつ、ガラス面でのユーザ操作を赤外線カメラ等で撮影することにより、大型のタッチパネルを実現することが考えられる。しかしながら、この比較例１では、解像度が低く、高精細化に不向きである。また、早いタッチ操作の検知が難しい。暗い場所での使用にも難点がある。
また、図２２に示す比較例２のように、大画面モニタ上に赤外線タッチセンサを設けた大型タッチパネルも考えられる。しかしながら、この比較例２では、赤外線タッチセンサを設置するための段差が必要になるため、テーブルとして利用しにくいことに加え、タッチパネル上に水がたまってしまい、防滴が難しくなる。解像度や精細化の点でも難点がある。
また、図２２に示す比較例３のように、ガラスの内部にタッチパネルのアンテナを設けて、強化ガラスなどで表面を覆ってもタッチ操作を検知できる大型タッチパネルも考えられる。しかしながら、この比較例３では、タッチパネルのアンテナがガラスの内部で見えてしまう。
これらと比較して、本実施形態の情報処理装置１では、タッチパネル１０の上面がその周囲の天板２０の上面よりも０〜３ｍｍ程度高くなっており、かつ、その接合部分に防水パッキン２１０で防水対策が施されているため、テーブルとして使いやすいだけでなく、上方の防滴が実現されている。
【００４３】
［変形例］
次に、上記実施形態の変形例を説明する。
図２０及び図２１は、情報処理装置１の変形例を模式的に説明する図である。
上記実施形態の情報処理装置１は、底面も略水平な形状であり、既存のテーブルなどに置いて使用するものであったが、本変形例の情報処理装置１は、筐体３０の下方に、支持脚７０を有する。
また、支持脚７０の上部には、タッチパネル１０及び天板２０からなる天面の角度を調整するためのチルト機構７２が設けられている。チルト機構７２は、例えば、回動軸を有し、この回動軸の回動によって、タッチパネル１０及び天板２０の角度が変化する。また、チルト機構７２には、回動軸による回動をロックするロック機構が設けられている。この場合、図１８のロックセンサ２３４は、チルト機構７２のロック機構のロック状態を検知し、ロック警告部５１６は、ロックセンサ２３４からの出力に基づいて、ロックが解除されていると判定された場合に、ロックが解除されている旨を示す警告をタッチパネル１０に表示させてもよい。
また、図２１に示すように、支持脚７０の下部に、錘７４を着脱自在に保持する錘保持機構が設けられてもよい。
【符号の説明】
【００４４】
１…情報処理装置
１０…タッチパネル
２０…天板
３０…筐体
【図１】
0005699356.tif 000002
【図２】
0005699356.tif 000003
【図３】
0005699356.tif 000004
【図４】
0005699356.tif 000005
【図５】
0005699356.tif 000006
【図６】
0005699356.tif 000007
【図７】
0005699356.tif 000008
【図８】
0005699356.tif 000009
【図９】
0005699356.tif 000010
【図１０】
0005699356.tif 000011
【図１１】
0005699356.tif 000012
【図１２】
0005699356.tif 000013
【図１３】
0005699356.tif 000014
【図１４】
0005699356.tif 000015
【図１５】
0005699356.tif 000016
【図１６】
0005699356.tif 000017
【図１７】
0005699356.tif 000018
【図１８】
0005699356.tif 000019
【図１９】
0005699356.tif 000020
【図２０】
0005699356.tif 000021
【図２１】
0005699356.tif 000022
【図２２】
0005699356.tif 000023